(57)【要約】      （修正有）【課題】外気温が氷点以下に低下する寒冷地で使用しても、誤動作を防止でき且つ地滑り等の検知精度を維持できる雪崩等の検知装置を提供する。【解決手段】ピン２８ｂの先端が押圧されたときＯＦＦとし、押圧が解除されたときＯＮとするマイクロスイッチ２８と、貫通孔２６が開口されている板体２２の一面側に、貫通孔２６を覆うように設けた樹脂製のシート体３２と、貫通孔２６を覆うシート体３２上に、シート体３２上を転がり可能に載置した樹脂製のボール３８とを具備し、貫通孔２６を覆うシート体３２上にボール３８を載置したとき、ボール３８の重さでシート体３２の撓んだ部分でピン２８ｂを押圧でき、検知装置１０が傾斜してシート体３２の撓んだ部分からボール３８が転がり出たとき、シート体３２の撓んだ部分を他の部分と実質的に同一面に復帰し、ピン２８ｂの押圧を解除できるように、貫通孔２６を覆うシート体３２を三角形状の舌片に形成した。【選択図】        図２
2005274556.tif 000002
【特許請求の範囲】
【請求項１】
雪崩や地滑りが発生するおそれのある斜面に設置され、前記雪崩や地滑りの発生を検知して検知信号を発する雪崩等の検知装置において、
該検知装置を構成する基板に対して所定の間隔を介して平行に設けられた板体に形成された貫通孔と、
本体部から突出するピンの先端が前記板体に形成された貫通孔内に位置するように、前記本体部が基板と板体との間に配設されており、前記ピンの先端が押圧されたとき、検知信号を発信する発信回路をＯＦＦとし、前記ピンの先端の押圧が解除されたとき、前記発信回路をＯＮとするマイクロスイッチと、
前記マイクロスイッチのピンの先端が内部に位置する貫通孔が開口されている板体の一面側に、前記貫通孔を覆うように設けられた樹脂製のシート体と、
前記貫通孔の開口上に位置するシート体の部分上に、前記シート体上を転がり可能に載置された樹脂製のボールとを具備し、
前記貫通孔の開口上に位置するシート体の部分には、前記検知装置を斜面に設置して、前記基板を水平に調整し、前記シート体の部分上にボールを載置したとき、前記ボールの重さで撓んだシート体の部分によって、前記貫通孔内に位置するピンの先端が押圧されて、検知信号を発信する発信回路がＯＦＦとされ、他方、前記斜面に設置した検知装置が傾斜し、前記貫通孔の開口上の位置からボールが転がり出たとき、前記シート体の撓んだ部分がシート体の他の部分と実質的に同一面に復帰し、前記ピンの先端の押圧が解除されて、検知信号を発信する発信回路がＯＮとされるように、切りこみが設けられていることを特徴とする雪崩等の検知装置。
【請求項２】
雪崩や地滑りが発生するおそれのある斜面に設置され、前記雪崩や地滑りの発生を検知して検知信号を発する雪崩等の検知装置において、
該検知装置を構成する基板に対して所定の間隔を介して平行に設けられた板体に形成された貫通孔と、
本体部から突出するピンの先端が前記板体に形成された貫通孔内に位置するように、前記本体部が基板と板体との間に配設されており、前記ピンの先端が押圧されたとき、検知信号を発信する発信回路をＯＦＦとし、前記ピンの先端の押圧が解除されたとき、前記発信回路をＯＮとするマイクロスイッチと、
前記マイクロスイッチのピンの先端が内部に位置する貫通孔が開口されている板体の一面側に、前記貫通孔よりも小径に形成された穿設孔が、前記貫通孔内に位置するマイクロスイッチのピンの先端上方に位置するように設けられた樹脂製のシート体と、
前記シート体の穿設孔上に、前記シート体上を転がり可能に載置された樹脂製のボールとを具備し、
前記貫通孔の開口上に位置するシート体の部分には、前記検知装置を斜面に設置して、前記基板を水平に調整し、前記シート体の穿設孔上にボールを載置したとき、前記貫通孔の開口上に位置するシート体の部分が載置されたボールの重さで撓み、前記貫通孔内に位置するピンの先端が前記ボールによって直接押圧されて、検知信号を発信する発信回路がＯＦＦとされ、他方、前記斜面に設置した検知装置が傾斜したとき、前記貫通孔の開口縁を覆う撓んだシート体の部分からボールが転がり出て、前記ピンの先端のボールによる直接押圧が解除され、検知信号を発信する発信回路がＯＮとされるように、切りこみが設けられていることを特徴とする雪崩等の検知装置。
【請求項３】
基板を水平に調整する調整手段が設けられている請求項１又は請求項２記載の雪崩等の検知装置。
【請求項４】
貫通孔の開口上に位置するシート体の部分には、三本の切り込みによって三枚の舌片に形成されている請求項１〜３のいずれか一項記載の雪崩等の検知装置。
【請求項５】
板体上には、前記板体の外周縁に沿って枠体が設けられている請求項１〜４のいずれか一項記載の雪崩等の検知装置。
【発明の詳細な説明】
【技術分野】
【０００１】
本発明は雪崩等の検知装置に関し、更に詳細には雪崩や地滑りが発生するおそれのある斜面に設置され、前記雪崩や地滑りの発生を検知して検知信号を発する雪崩等の検知装置に関する。
【背景技術】
【０００２】
雪崩や地滑りが発生するおそれのある斜面に設置され、雪崩や地滑りの発生を検知して警報を発する警報装置としては、例えば下記特許文献１には、図１０に示す警報装置が提案されている。
この図１０に示す警報装置は、地滑り等が発生するおそれのある斜面に立設した支柱１００の先端部に、ブザー１０６と発光器１０８とが設けられた検知装置１０２を装着して成る複数のユニットが、線材１０４によって互いに連結されているものである。
かかる検知装置１０２は、図１１に示す様に、ブザー１０６と発光器１０８とが設けられた矩体１１０内には、その天井から吊下げられたワイヤ１１２の先端部に金属製の重り１１４を具備する振り子１１６、バッテリー１２０及び警報回路が組み込まれた回路基板１２２が設けられている。
この振り子１１６の重り１１４は、円筒状の接点部１１８内に配設されており、地滑り等によって矩体１０が傾斜したとき、重り１１４と接点部１１８とが接触し、回路基板１２２の警報回路がＯＮとなって、ブザー１０６及び発光器１０８が作動する。
また、ブザー１０６及び発光器１０８は、他のユニットを立設した斜面で地滑り等が発生したとき、他のユニットと連結されている線材１０４によって、支柱１００が傾斜しても作動する。
【特許文献１】特開平１０-９７６９０号公報（図２,図３）
【発明の開示】
【発明が解決しようとする課題】
【０００３】
図１０及び図１１に示す地滑り等の警報装置によれば、地滑り等の前兆である斜面の移動を捕らえることができ、地滑り等が到達する領域にいる人を至急避難させることが可能である。
しかし、図１０及び図１１に示す地滑り等の警報装置で用いられている検知装置１０２では、振り子１１６が用いられている。このため、外気温が氷点以下に低下する寒冷地において、雪崩や地滑りの検知装置として使用すると、検知装置１０２の金属製の重り１１４や円筒状の接点部１１８等に霜が付着すること因り、誤動作が発生し易くなったり、振り子１１６の動作が鈍くなって、雪崩等の検知精度が低下するおそれがある。
そこで、本発明の課題は、外気温が氷点以下に低下する寒冷地で使用しても、誤動作を防止でき且つ雪崩等の検知精度を維持できる雪崩等の検知装置を提供することにある。
【課題を解決するための手段】
【０００４】
本発明者は、前記課題を解決すべく検討を重ねた結果、水平に設けられた板体に形成された貫通孔内に位置するように設けられたマイクロスイッチの本体から延出されたピンの先端を、板体上に転がり可能の載置したボールによって押圧されたとき、検知信号を発信する発信回路をＯＦＦとし、板体が傾斜しボールが転がってピンの先端の押圧が解除されたとき、発信回路をＯＮとする雪崩等の検出装置は、外気温が氷点以下に低下する寒冷地でも使用できることを見出し、本発明に到達した。
【０００５】
すなわち、本発明は、雪崩や地滑りが発生するおそれのある斜面に設置され、前記雪崩や地滑りの発生を検知して検知信号を発する雪崩等の検知装置において、該検知装置を構成する基板に対して所定の間隔を介して平行に設けられた板体に形成された貫通孔と、本体部から突出するピンの先端が前記板体に形成された貫通孔内に位置するように、前記本体部が基板と板体との間に配設されており、前記ピンの先端が押圧されたとき、検知信号を発信する発信回路をＯＦＦとし、前記ピンの先端の押圧が解除されたとき、前記発信回路をＯＮとするマイクロスイッチと、前記マイクロスイッチのピンの先端が内部に位置する貫通孔が開口されている板体の一面側に、前記貫通孔を覆うように設けられた樹脂製のシート体と、前記貫通孔の開口上に位置するシート体の部分上に、前記シート体上を転がり可能に載置された樹脂製のボールとを具備し、前記貫通孔の開口上に位置するシート体の部分には、前記検知装置を斜面に設置して、前記基板を水平に調整し、前記シート体の部分上にボールを載置したとき、前記ボールの重さで撓んだシート体の部分によって、前記貫通孔内に位置するピンの先端が押圧されて、検知信号を発信する発信回路がＯＦＦとされ、他方、前記斜面に設置した検知装置が傾斜し、前記貫通孔の開口上の位置からボールが転がり出たとき、前記シート体の撓んだ部分がシート体の他の部分と実質的に同一面に復帰し、前記ピンの先端の押圧が解除されて、検知信号を発信する発信回路がＯＮとされるように、切りこみが設けられていることを特徴とする雪崩等の検知装置にある。
【０００６】
また、本発明は、雪崩や地滑りが発生するおそれのある斜面に設置され、前記雪崩や地滑りの発生を検知して検知信号を発する雪崩等の検知装置において、該検知装置を構成する基板に対して所定の間隔を介して平行に設けられた板体に形成された貫通孔と、本体部から突出するピンの先端が前記板体に形成された貫通孔内に位置するように、前記本体部が基板と板体との間に配設されており、前記ピンの先端が押圧されたとき、検知信号を発信する発信回路をＯＦＦとし、前記ピンの先端の押圧が解除されたとき、前記発信回路をＯＮとするマイクロスイッチと、前記マイクロスイッチのピンの先端が内部に位置する貫通孔が開口されている板体の一面側に、前記貫通孔よりも小径に形成された穿設孔が、前記貫通孔内に位置するマイクロスイッチのピンの先端上方に位置するように設けられた樹脂製のシート体と、前記シート体の穿設孔上に、前記シート体上を転がり可能に載置された樹脂製のボールとを具備し、前記貫通孔の開口上に位置するシート体の部分には、前記検知装置を斜面に設置して、前記基板を水平に調整し、前記シート体の穿設孔上にボールを載置したとき、前記貫通孔の開口上に位置するシート体の部分が載置されたボールの重さで撓み、前記貫通孔内に位置するピンの先端が前記ボールによって直接押圧されて、検知信号を発信する発信回路がＯＦＦとされ、他方、前記斜面に設置した検知装置が傾斜したとき、前記貫通孔の開口縁を覆う撓んだシート体の部分からボールが転がり出て、前記ピンの先端のボールによる直接押圧が解除され、検知信号を発信する発信回路がＯＮとされるように、切りこみが設けられていることを特徴とする雪崩等の検知装置でもある。
【０００７】
かかる本発明において、基板を水平に調整する調整手段を設けることによって、斜面に検知装置を設置する際に、基板を容易に水平とすることができる。
また、貫通孔の開口上に位置するシート体の部分に、三本の切り込みによって三枚の舌片に形成することにより、ボールが載置されたとき、ボールの重さで三枚の舌片を容易に撓ませることができ、板体が傾斜して開口端上の位置からボールが転がり出たとき、撓んだ三枚の舌片をシート体の他の部分と実質的に同一面に復帰できる。
更に、板体上には、前記板体の外周縁に沿って枠体を設けることによって、ボールが転がり得る範囲を限定でき、ボールを貫通孔上に容易に載置できる。
【発明の効果】
【０００８】
本発明に係る雪崩等の検知装置では、転がり可能にシート体上に載置したボールの重量を利用して、マイクロスイッチのピンを押圧状態とし又は押圧状態を解除することによって、検知信号を発信する発信回路のＯＮ、ＯＦＦを行なっている。
このため、振り子の重りの電極に対する電気的な接離によって、検知信号を発信する発信回路のＯＮ、ＯＦＦを行なう場合に比較して、外気温が氷点以下に低下する寒冷地で使用しても、電極面及び重りに霜が付着することに因る誤動作のおそれや振り子動作が鈍くなることに因る検知精度の低下のおそれを解消できる。
更に、本発明に係る雪崩等の検知装置では、霜が金属製よりも付着し難い樹脂製のシート体及びボールを採用しているため、外気温が氷点以下に低下する寒冷地で使用しても、霜付着に因る誤動作を可及的に解消できると共に、検知精度を維持できる。
しかも、板体の貫通孔の開口上に位置するシート体の部分には、切りこみが設けられている。この切り込みは、貫通孔の開口上に位置するシート体の部分に載置したボールの重さでシート体が撓み易くして、撓んだシート体の部分によって、貫通孔内に位置するピンの先端を押圧し、他方、雪崩等の検知装置が傾斜して、シート体の貫通孔上の位置からボールが転がり出たとき、シート体の撓んだ部分がシート体の他の部分と実質的に同一面に迅速に復帰し、ピンの先端の押圧が解除され易くするものである。このため、雪崩等の検知装置の検知精度を向上も図ることができる。
【０００９】
また、本発明に係る検知装置が、設置した斜面の近傍で運転される土木機械等の振動に因る誤動作が頻発する場合には、マイクロスイッチのピンの先端が位置する貫通孔よりも小径の穿設孔が形成されたシート体を、穿設孔が板体の貫通孔内に在るマイクロスイッチのピンの先端上方に位置するように設ける共に、貫通孔の開口上に位置するシート体の部分に切りこみを設けることによって、土木機械等の振動に因る検知装置の誤動作が頻発することを防止できる。
その理由は、貫通孔の開口上に位置するシート体の部分に、穿設孔及び切りこみが形成されているため、貫通孔の開口上に位置するシート体の部分がボールの重さによって撓み易くなっている。このため、振動に伴なってシート体の穿設孔上からボールが移動しても、振動に伴なってシート体の穿設孔上に戻ってきたボールによって、貫通孔の開口上に位置するシート体の部分が撓み、ボールが所定位置に迅速に位置決めされることによるものと考えられる。
【発明を実施するための最良の形態】
【００１０】
雪崩や地滑りが発生するおそれのある斜面に、本発明に係る雪崩等の検知装置の一例を設置した状態を図１に示す。図１に示す雪崩等の検知装置１０（以下、単に検知装置１０と称することがある）は、雪崩や地滑りが発生するおそれのある斜面に打ち込まれた支柱１２の先端部に設けられている。
かかる検知装置１０の部分断面図を図２に示す。この検知装置１０は、斜面に打ち込まれた支柱１２の先端部に固定された固定板１４上に、基板１６が傾斜角調整可能に設けられている。この基板１６の傾斜角は、固定板１４と基板１６との間に設けられた傾斜角調整具によって調整できる。かかる傾斜角調整具は、固定板１４と基板１６との間に設けられたネジ１８ａ，１８ａ，１８ａと、各ネジ１８ａの途中に回動可能に螺着された調整摘み１８ｂと、基板１６の端縁近傍部に設けられた水準器２０とから構成される。基板１６を水平に調整するには、基板１６の傾斜を水準器２０でチェックしつつ、調整摘み１８ｂ，１８ｂ，１８ｂの各々を回動することによって行なうことができる。
【００１１】
水平に調整された基板１６に対して所定の間隔を介して板体２２が、基板１６に一端部が固定された支持材２４，２４の他端部に平行に設けられており、板体２２の中央部には、貫通孔２６が形成されている。
かかる基板１６と板体２２との間には、本体部２８ａからピン２８ｂの先端部が突出するマイクロスイッチ２８が、ピン２８ｂの先端が板体２２の貫通孔２６の内に位置するように設けられている。図２に示す検知装置１０では、マイクロスイッチ２８の本体部２８ａは、基板１６上に設けられた電池ホルダ３０に固着されている。
【００１２】
貫通孔２６が形成された板体２２の上面には、樹脂製のシート体３２が貫通孔２６を覆うように載置されており、板体２２の上面の全面を覆うシート体３２は、その外周縁近傍に配設された枠体３４によって板体２２に固着されている。この枠体３４は、シート体３２を板体２２に固着する機能の他に、図２に示す様に、シート体３２上に載置した樹脂製のボール３８の転がり得る範囲を規制する機能も有する。
更に、板体２２、枠体３４及びボール３８は、図２に示す様に、ドーム部４０によって覆われており、板体２２が傾斜してもボール３８が転がり得る範囲を規制している。
かかるドーム部４０も、検知信号を送信する送信器４４が内装された筒状外筒部４２内に収容されている。
尚、送信器４４から送信された検知信号は、後述する受信器によって受信されて警報を発する。
【００１３】
図２に示す検知装置１０では、板体２２の上面に載置された貫通孔２６の開口上に位置し、貫通孔２６を覆うシート体３２の部分は、三本の切り込み３６ａ，３６ａ，３６ａによって、三枚の三角形状の舌片３６ｂ，３６ｂ，３６ｂに形成されている。
この様に、貫通孔２６を覆うシート体３２の部分を、三枚の舌片３６ｂ，３６ｂ，３６ｂに形成することによって、図２に示す様に、貫通孔２６を覆うシート体３２の部分にボール３８を載置したとき、ボール３８の重さで舌片３６ｂ，３６ｂ，３６ｂは貫通孔２６内に容易に撓まれ、マイクロスイッチ２８を構成するピン２８ｂの先端を押圧する。
ボール３８によってピン２８ｂの先端が押圧されていることは、基板１６に設けられているスイッチ４６をＯＮとすることによって、ＬＥＤ４８が点灯することによって確認できる。
【００１４】
図１〜図３に示す検知装置１０の回路図を図４に示す。図４に示す回路図のマイクロスイッチ２８は、電池ホルダ３０に挿入された電池３０ａ及び検知信号を送信する送信器４４から成る発信回路と、電池３０ａ、スイッチ４６及びＬＥＤ４８から成る確認回路とをＯＮ−ＯＦＦするスイッチである。
また、送信器４４からの信号は、受信器５０によって受信され、警告灯５２を点灯すると共に、ブザー等の警報（図示せず）を発する。これらの受信器５０や警告灯５２は、太陽電池５４によって発電されて蓄電池（図示せず）に蓄電されている電源によって駆動される。
尚、図１〜図４に示す検知装置１０は、各部材が筒状外筒部４２内に密閉状態で封止されているため、斜面等に設置された検知装置１０が雪に埋もれても、送信器４４から検知信号を受信器５０に送信できる。
【００１５】
図１に示す様に、雪崩や地滑りが発生するおそれのなる斜面に打ち込まれた支柱１２の先端部に設けられた検知装置１０の基板１６を、水準器２０によって傾斜をチェックしつつ、調整摘み１８ｂ，１８ｂ，１８ｂの各々を回動して水平に調整する。
基板１６が水平に調整された検知装置１０では、図２に示す様に、板体２２の貫通孔２６を覆うシート体３２の部分に形成された三角形状の舌片３６ｂ，３６ｂ，３６ｂ上にボール３８が載置され、ボール３８で押圧されて撓んだ舌片３６ｂ，３６ｂ，３６ｂによってピン２８ｂの先端が押圧されている場合には、発信回路はＯＦＦとされている。このため、送信器４４は停止状態にある。
一方、確認回路はＯＮとされているため、確認回路のスイッチ４６をＯＮとすることによって、ＬＥＤ４８が点灯し、ボール３８によってピン２８ｂが押圧されていることを確認できる。
【００１６】
この様な状態の図２に示す検知装置１０が、雪崩や地滑りが発生して図５に示すように傾斜した場合には、貫通孔２６を覆う舌片３６ｂ，３６ｂ，３６ｂ上からボール３８が転がり出る。このため、ボール３８の重さによって撓んだ舌片３６ｂ，３６ｂ，３６ｂは、シート体３２の他の部分と実質的に同一面に復帰し、ピン２８ｂの先端の押圧が解除される。
マイクロスイッチ２８を構成するピン２８ｂの先端の押圧が解除されると、図６に示す回路図に示す様に、発信回路はＯＮ状態となり、送信器４４から検知信号が発信される。送信器４４からの信号は、人が居る近傍に載置された受信器５０によって受信され、警告灯５２を点灯すると共に、ブザー等の警報（図示せず）を発する。
このため、警告灯５２やブザー等の警報によって、付近に居る人は雪崩や地滑りの発生を早期に知ることができ、早期に避難できる。
【００１７】
また、検知装置１０を樹木等が存在する斜面に設置する場合には、樹木の小枝等が風によって検知装置１０に衝突し、検知装置１０を一次的に傾斜させることがある。この様な場合でも、傾斜した検知装置１０が直ちに元の状態に復帰できれば、検知装置１０が傾斜した際に、貫通孔２６を覆う舌片３６ｂ，３６ｂ，３６ｂ上の位置から転がり出たボール３８は、直ちに舌片３６ｂ，３６ｂ，３６ｂ上の位置に復帰する。このため、検知装置１０の一次的な傾斜によって、警告灯やブザー等の警報が作動することを実質的に防止できる。
ここで、図１〜図６に示す検知装置１０において、シート体３２を省略した場合には、図７に示す如く、マイクロスイッチ２８のピン２８ｂの先端がボール３８によって確実に押圧されるように、ピン２８ｂの先端は板体２２の貫通孔２６を通過して板体２２の一面側に突出している。
このため、図７に示す検知装置に木の小枝等が風によって衝突し、検知装置が一次的に傾斜したものの、直ちに元の状態に復帰した場合であっても、貫通孔２６の開口端上の位置から転がり出たボール３８は、図７に示す如く、板体２２の一面側に突出したピン２８ｂの先端に邪魔されて元の位置に復帰できない事態が発生し易い。この場合、警告灯やブザー等の警報が作動し、誤動作として取り扱われる。かかる誤動作が度々発生すると、検知装置の信頼性が損なわれる。
【００１８】
更に、図１〜図６に示す検知装置１０では、その設置した傾斜面の近傍で土木工事等が行われ、土木機械の運転の際に発生する振動によって、検知装置１０も振動して、貫通孔２６を覆うシート体３２の部分からボール３８が転がり出たとき、振動に伴なってボール３８が貫通孔２６を覆うシート体３２の部分上に戻っても、所定位置に容易に位置決めされないことに因る誤動作が頻発する場合がある。
この場合、図８に示す様に、マイクロスイッチのピン２８ｂの先端が位置する貫通孔２６よりも小径の穿設孔５６ａが形成されたシート体５６を用いることが好ましい。
かかるシート体５６は、その穿設孔５６ａが貫通孔２６内に在るマイクロスイッチのピン２８ｂの先端上方に位置するように板体２２の一面側に設ける共に、板体２２の貫通孔２６の開口上に位置するシート体５６の部分、つまり貫通孔２６の開口縁から穿設孔５６ａの開口縁に至るシート体５６の部分を、三本の切り込み５８ａ，５８ａ，５８ａによって、三枚の扇状の舌片５８ｂ，５８ｂ，５８ｂに形成している。
【００１９】
図８に示すシート体５６を板体２２の一面側に設けた検知装置１０を図９に示す。図９において、図１〜図６に示す検知装置１０の部材と同一部材については、同一番号を付して詳細な説明を省略する。
図９に示す検知装置１０の基板１６を水平に調整し、シート体５６の穿設孔５６ａ上にボール３８を載置すると、図９に示す様に、貫通孔２６の開口上に位置するシート体５６の部分に形成された舌片３６ｂ，３６ｂ，３６ｂがボール３８の重さで撓み、貫通孔２６内に位置するピン２８ｂの先端をボール３８によって直接押圧する。この状態では、検知信号を発信する発信回路はＯＦＦ状態にある。
図８に示すシート体５６の扇状の舌片５８ｂ，５８ｂ，５８ｂは、ボール３８によって押圧されたとき、図３に示すシート体３２の三角形状の舌片３６ｂ，３６ｂ，３６ｂよりも、容易に撓み易い。
この様に穿設孔５６ａ上に位置決めされたボール３８は、貫通孔２６の開口縁を覆う撓んだ舌片５８ｂ，５８ｂ，５８ｂ上に載置されているため、検知装置１０の僅かな傾斜でも、ボール３８はシート体５６の穿設孔５６ａ上から転がり出て、貫通孔２６内に位置するピン２８ｂの先端のボール３８による直接押圧を解除し、検知信号を発信する発信回路はＯＮ状態とする。このため、図９に示す検知装置１０でも、雪崩等の前兆である斜面の僅かな移動でも検知できる検知精度を有する。
尚、シート体５６の穿設孔５６ａ上からボール３８が一時的に移動したとき、ボール３８の重さで撓んだ舌片５８ｂ，５８ｂ，５８ｂはシート体５６の他の部分と実質的に同一面に復帰する。
【００２０】
一方、かかる図９に示す検知装置１０は、土木機械等の振動によって検知装置１０が振動した場合、検知装置１０が一時的に傾斜してシート体５６の穿設孔５６ａ上から転がり出ることがある。
しかし、振動によって一時的に傾斜した検知装置１０は直ちに垂直位置に復帰するため、ボール３８はシート体５６のは穿設孔５６ａ上に戻り、舌片５８ｂ，５８ｂ，５８ｂがボール３８の重みで容易に撓み、ボール３８は穿設孔５６ａ上に直ちに位置決めされる。
その結果、土木機械等の振動によって検知装置１０が振動しても、警告灯やブザー等の警報が誤作動することを実質的に防止できる。
この様に、図９に示す検知装置１０は、雪崩等の前兆である斜面の僅かな移動でも検知できる検知精度を有しつつ、土木機械等の振動に因る誤動作を防止でき、その信頼性を向上できる。
【００２１】
以上、説明した図１〜図９に示す検知装置１０は、検知信号を無線で受信器５０に送信しているが、検知信号をワイヤで受信器５０に送信してもよい。
また、雪崩や地滑りが発生するおそれのある傾斜面に、複数個の検知装置１０を設置し、受信器５０において、どの位置に設置した検知装置１０から送信された検知信号であるかを判別できるようにしてもよい。
【図面の簡単な説明】
【００２２】
【図１】本発明に係る雪崩等の検知装置の設置状態を示す説明図である。
【図２】本発明に係る雪崩等の検知装置の一例を示す部分断面図である。
【図３】図２に示す検知装置に用いるシート体の一例を示す部分正面図である。
【図４】図２に示す雪崩等の検知装置の状態にある場合の回路図である。
【図５】図２に示す雪崩等の検知装置を傾斜した状態を示す部分断面図である。
【図６】図５に示す雪崩等の検知装置の状態にある場合の回路図である。
【図７】図２に示す雪崩等の検知装置のシート体３２を省略した場合について説明する説明図である。
【図８】本発明の検知装置に用いるシート体の他の例を説明する部分正面図である
【図９】本発明に係る雪崩等の検知装置の他の例を示す部分断面図である。
【図１０】雪崩や地滑りの発生を検知して警報を発する従来の警報装置を説明する説明図である。
【図１１】図１０に示す警報装置の内部構造を説明する説明図である。
【符号の説明】
【００２３】
１０  雪崩等の検知装置
１２  支柱
１４  固定板
１６  基板
１８ａ  ネジ
２０  水準器
２２  板体
２６  貫通孔
２８ｂ  ピン
２８  マイクロスイッチ
２８ａ  本体部
３０ａ  電池
３０  電池ホルダ
３２，５６  シート体
３４  枠体
３６ａ、５８ａ  切り込み
３６ｂ，５８ｂ  舌部
３８  ボール
４０  ドーム部
４２  筒状外筒部
４４  送信器
４６  スイッチ
２４  支持材
５０  受信器
５２  警告灯
５４  太陽電池
５６ａ  穿設孔                                                         
【図１】
2005274556.tif 000003
【図２】
2005274556.tif 000004
【図３】
2005274556.tif 000005
【図４】
2005274556.tif 000006
【図５】
2005274556.tif 000007
【図６】
2005274556.tif 000008
【図７】
2005274556.tif 000009
【図８】
2005274556.tif 000010
【図９】
2005274556.tif 000011
【図１０】
2005274556.tif 000012
【図１１】
2005274556.tif 000013